(57)【特許請求の範囲】
【請求項１】
除細動システムが１つ又はそれよりも多くの電気ショックを患者に給送する間に救助者がハンズオンＣＰＲ操作を実行している間に、コンピュータのプロセッサが、前記救助者と前記患者との間のインピーダンスを測定するステップであって、前記除細動システムは、
前記患者の少なくとも一部分の上を覆うように構成され且つ前記救助者と前記患者との間に配置される電気絶縁体と、
前記患者に電気ショックを給送するよう第１の電力ケーブルを通じて電源と電気連通する第１のパッドであって、前記患者と電気連通する、第１のパッドと、
前記患者に前記電気ショックを給送するよう第２の電力ケーブルを通じて前記電源と電気連通する第２のパッドであって、前記患者と電気連通する、第２のパッドと、
前記患者にショック電圧を印加する前記電源とを含む、
ステップと、
前記救助者が前記ハンズオンＣＰＲ操作を実行している間に、前記プロセッサが、前記救助者と前記患者との間の低インピーダンス状態を検出するステップと、
該低インピーダンス状態を検出するステップに応答して、前記プロセッサが、インジケータをアクティブ化させるステップとを含み、
前記救助者と前記患者との間のインピーダンスを測定するステップは、前記プロセッサが、前記電気絶縁体の頂面にあるインピーダンス入力場所と前記患者にある第２のインピーダンス入力場所との間のインピーダンスを測定するステップを含む、
コンピュータで実施される方法。
【請求項２】
前記プロセッサが、前記低インピーダンス状態がクリアされたか否かを決定するステップを更に含む、請求項１に記載のコンピュータで実施される方法。
【請求項３】
前記低インピーダンス状態がクリアされたという決定に応答して、前記プロセッサが、前記インジケータをクリアするステップを含む、請求項２に記載のコンピュータで実施される方法。
【請求項４】
前記プロセッサが、１つ又はそれよりも多くの周波数で測定されるインピーダンスが閾値よりも下であることを決定するステップと、
前記プロセッサが、出力を提供して前記インジケータをアクティブ化させるステップとを更に含む、
請求項１に記載のコンピュータで実施される方法。
【請求項５】
前記プロセッサが、前記電源が前記ショック電圧を印加するのを防止するために前記出力を提供してインターロックをアクティブ化させるステップを更に含む、請求項４に記載のコンピュータで実施される方法。
【請求項６】
前記インジケータは、光又は音である、請求項１に記載のコンピュータで実施される方法。
【請求項７】
前記インジケータは、前記患者への電気ショックの給送を防止する、電源への電気信号である、請求項１に記載のコンピュータで実施される方法。
【請求項８】
少なくとも１つのプロセッサと、
コンピュータ可読記憶媒体とを含む、
装置であって、
前記コンピュータ可読記憶媒体は、その上に格納される命令を有し、前記命令は、前記プロセッサによって実行可能であり、前記命令は、前記プロセッサによって実行されるときに、当該装置に、
除細動システムが１つ又はそれよりも多くの電気ショックを患者に給送する間に救助者がハンズオンＣＰＲ操作を実行している間に前記救助者と前記患者との間のインピーダンスを測定させ、
低インピーダンス状態を検出することに応答してインジケータをアクティブ化させ、
前記救助者と前記患者との間のインピーダンスの測定は、前記救助者と前記患者との間に配置される電気絶縁体の頂面にあるインピーダンス入力場所と前記患者にある第２のインピーダンス入力場所との間のインピーダンスの測定を含み、
前記除細動システムは、
前記患者の少なくとも一部分の上を覆うように構成され且つ前記救助者と前記患者との間に配置される電気絶縁体と、
前記患者に電気ショックを給送するよう第１の電力ケーブルを通じて電源と電気連通する第１のパッドであって、前記患者と電気連通する、第１のパッドと、
前記患者に前記電気ショックを給送するよう第２の電力ケーブルを通じて前記電源と電気連通する第２のパッドであって、前記患者と電気連通する、第２のパッドと、
前記患者にショック電圧を印加する前記電源とを含む、
装置。
【請求項９】
前記コンピュータ可読記憶媒体は、前記低インピーダンス状態がクリアされたか否かを決定する命令を更に含む、請求項８に記載の装置。
【請求項１０】
前記コンピュータ可読記憶媒体は、前記低インピーダンス状態がクリアされたという決定に応答して前記インジケータをクリアする更なる命令を含む、請求項９に記載の装置。
【請求項１１】
前記コンピュータ可読記憶媒体は、複数の周波数で試験電圧を伝えて、インピーダンス測定を開始する、更なる命令を含む、請求項８に記載の装置。
【請求項１２】
前記インジケータは、光又は音である、請求項８に記載の装置。
【請求項１３】
前記インジケータは、患者への電気ショックの給送を防止する、電源への電気信号である、請求項８に記載の装置。
【発明の詳細な説明】
【技術分野】
【０００１】
（関連出願の参照）
この出願は、２０１５年２月１７日に出願された「Defibrillator  shield  to  facilitate  hands-on  defibrillation」という名称の米国仮特許出願第６２／１７６，３８１号の利益を主張し、その全文を本明細書に参照として援用する。
【背景技術】
【０００２】
数えきれない人間の努力は、何らかの機能を促進するために電力の使用を必要とする。幾つかの場合には、人間が電力に曝される可能性は低い。電力を使用するデバイスは、典型的には、人とデバイスに電力を供給する潜在的に危険な電力との間に固定的な半永久的な障壁を提供するように設計される。例えば、潜在的に有害な電力にアクセスするために、家電製品は、開いて、人を潜在的に危険な電力に晒すのに何らかの努力を必要とする、外側ケーシングをしばしば有する。
【０００３】
しかしながら、幾らかの努力において、固定的な半永久的な障壁を有することは、実用的でないか或いは不可能である。例えば、電力線作業員は、高電圧の近傍でしばしば作業する。彼らが電力線にアクセスして作業する必要のある場所の数えきれない変化の故に、固定的な半永久的な障壁を設置することは、しばしば実現可能でない。
【０００４】
固定的な半永久的な障壁の使用が実用的でない他の人間の努力は、除細動器を用いるときである。除細動器は、心臓に電気ショックを与える電気デバイスである。電気ショックは、心拍停止におけるような危険な不整脈の場合に、正常なリズム（律動）を再構築するのに役立つように設計される。除細動器は、心筋を通過する高電圧（数百〜数千ボルト）のインパルスを用いることによって機能して、心臓リズム（心臓律動）を電気的にリセットする。徐細動ショックを受ける患者に送られる総エネルギーは、５０〜３６０ジュールに亘り得る。
【０００５】
典型的な外部除細動器は、心臓を通じて電流を流すために２つの接触パッド又はパドルを用いる。典型的には、一方のパッド又はパドルが心臓の左上に配置され、他方のパッド又はパドルが僅か右下に配置される。別の方法は、一方のパドルを身体の前面に配置し、他方のパドルを患者の背中に配置することを含む。電流が適切に流れるために、並びに、皮膚の火傷のリスクを減らすために、電極は十分に接近して適用されなければならない。それらは、皮膚との良好な電気接触も行わなければならないので、固体又は液体の導電性ゲルが、通常、患者の胸部に最初に塗布される。
【０００６】
心拍停止の間、心肺蘇生の間に行われる胸部圧迫と外部除細動器からの電気ショックの給送との間のあらゆる中断を最小にすることが有利である。しかしながら、手作業による心肺蘇生は、医療従事者に不慮の衝撃を与える恐れの故に、除細動プロセス中に比較的長い期間に亘ってしばしば中断される。圧迫を行う医療従事者に安全を保証するために、救助者は各ショックの期間中に患者と接触しないようにする。この圧迫の中断は蘇生の有効性(efficacy)を低下させ得る。
【０００７】
中断のないハンズオン(hands-on)除細動の使用が提案されている。このような方法の１つは、医療提供者をショックのリスクから隔離する非導電性障壁の使用である。シミュレートされた又は最高条件のシナリオにおいて、絶縁障壁は、医療従事者を電気インパルスから保護することができ、それはハンズオフ(hands-off)時間を短縮し、心臓蘇生の患者転帰を改善することができる。しかしながら、実際の使用において、状況はしばしば最適に満たない。流体、体の動き、及び絶縁シールドを非効果的にすることがある他の要因があることがある。例えば、圧迫の間に、救助者は身体を移動させることがあり、場合によっては、障壁を動かすことがあり或いは救助者の身体部分を患者と無意識に接触させることがある。よって、従来技術を用いる中断のないハンズオン除細動は、救助者に安全上のリスクを提示し得る。
【０００８】
本明細書で行われる開示が提供されるのは、これらの考察及び他の考察に関してである。
【発明の概要】
【０００９】
本明細書で開示される技術は、電気安全システムの機能性を提供する。幾つかの実施例において、システムは、電気絶縁体と、インピーダンス検出及び絶縁耐力検出デバイスとを含む。実施例において、システムは、インピーダンス測定デバイスを複数のインピーダンス入力場所に接続する複数のリード線を更に含む。幾つかの実施例では、少なくとも１つのインピーダンス入力場所が、電気絶縁体の上面にあり、第２のインピーダンス入力場所が、電源から電力を受け取る電気ドレイン（患者又は他の場所）上の場所にある。
【００１０】
幾つかの実施例において、システムは、患者を除細動するショック電圧を提供する電源を含む。幾つかの実施例において、電源は、単相波形又は二相波形、又はその両方を給送し得る。幾つかの実施例において、電気絶縁体は、ショック電圧を電源から患者の心臓に経路指定するように構成された第１の電気パッドを含む。第２の電気パッドを患者に配置し且つ電源に接続して回路を完成させて、電流が患者の胸部及び心臓を通じて流れるようにさせ得る。
【００１１】
幾つかの実施例において、インピーダンス測定デバイスは、電気絶縁体（又はドレープ）と患者との間のインピーダンスを測定する。インピーダンスは、複数の周波数に亘って測定されてよい。１つ又はそれよりも多くの周波数での測定されたインピーダンスが閾値より下であるならば、インピーダンス測定デバイスは、出力を提供することができる。例えば、インピーダンス測定デバイスは、障壁上の緑色発光ダイオード（“ｌｅｄ”）を消灯させ、赤色ｌｅｄを通電して、安全でない可能性のある状態を示すことができる。他の実施例において、インピーダンス測定デバイスは、インターロックをアクティブ化させて、電源がパッドにショック電圧を給送するのを防止することができる。
【００１２】
上述の主題は、コンピュータで制御される装置、コンピュータで実施されるプロセス、コンピューティングシステムとして、或いは非一時的コンピュータ可読記憶媒体のような製造品として、全体的又は部分的に実施されてよい。これらの及び他の様々な構成は、以下の詳細な記述の判読及び関連する図面の検討から明らかであろう。
【００１３】
この要約は、以下の発明を実施するための形態で更に記載する一揃いの概念を簡略化された形態において導入するために提供される。この要約は、請求する主題の鍵となる構成又は本質的な構成を特定することを意図するものでなく、請求する主題の範囲を限定するために用いられることも意図していない。その上、請求する主題は、この開示のいずれかの部分に記されるいずれかの又は全ての不利点を解決する実施に限定されない。
【図面の簡単な説明】
【００１４】
【図１】電気安全システムの特徴を示すブロック図である。
【００１５】
【図２】使用中の電気安全システムを示す図である。
【００１６】
【図３】電気安全システムの側面図である。
【００１７】
【図４】電気安全システムを用いるために本明細書で開示される手順（ルーチン）の特徴を例示するフロー図である。
【００１８】
【図５】インピーダンス測定値を示すグラフである。
【図６】インピーダンス測定値を示すグラフである。
【図７】インピーダンス測定値を示すグラフである。
【００１９】
【図８】本明細書で記載される様々なコンピュータシステムを実施するのに適したコンピュータアーキテクチャを示すコンピュータアーキテクチャ図である。
【発明を実施するための形態】
【００２０】
以下の詳細な記述は、電気安全システムのための技術に向けられている。本明細書に記載される主題の幾つかの特徴は、コンピュータシステム上のオペレーティングシステム及びアプリケーションプログラムの実行と共に実行するプログラムモジュールの一般的な脈絡において提示されるが、当業者は、他のインプリメンテーション(implementations)が他の種類のプログラムモジュールとの組み合わせにおいて実行されてよいことを認識するであろう。
【００２１】
一般的に、プログラムモジュールは、ルーチン、プログラム、コンポーネント、データ構造、及び特定のタスクを実行し或いは特定の抽象データ型を実施する他の種類の構造を含む。その上、当業者は、本明細書に記載する主題が、手持ち式デバイス、マルチプロセッサシステム、マイクロプロセッサベース又はプログラム可能な家庭用電子機器、ミニコンピュータ、メインフレームコンピュータ及び同等物を含む、他のコンピュータシステムコンフィグレーションで実施されてよいことを理解するであろう。
【００２２】
電力の近傍で又は電気的に通電されたデバイス上で作業するとき、人間に対する危険が存在することがある。幾つかの場合には、電気絶縁を用いて、人間を電力から保護（絶縁）しようとすることがある。例えば、除細動のために電源を用いるときには、絶縁性のフレキシブルなドレープが、電気ショック治療を受ける患者に配置されることがある。人間の救助者は、ドレープを使用して患者と相互作用することがある。例えば、救助者は、救助者のあらゆる身体部分を患者のあらゆる身体部分から物理的に分離する位置にドレープを配置することがある。幾つかの実施例において、その意図は、電気ショックが患者に送達されるときに、救助者は電圧から絶縁されており、よって、ショックを受けないということである。
【００２３】
しかしながら、実世界の状況において、ドレープが用いられる環境は、しばしば静的ではない。例えば、上述の例では、除細動を受けている患者を救助しようと試みるとき、患者及び救助者は、しばしば動き回る。救助環境の電気的特性を変える、血液、嘔吐、又は汗のような、液体があることがある。別の例では、高電圧電力線のような電気機器の作業者は、しばしば雨の又は暑い環境にあり、労働者の環境の電気的特性を変える水の導入を引き起こす。
【００２４】
よって、幾つかの例では、作業者又は救助者を高電圧源から分離する絶縁体の妥当性(adequacy)を能動的に測定し且つモニタリングすることは、有益なことがある。この考察及び潜在的な他の問題に対処するために、安全でない環境を提示することがある漏れ電流経路又は不十分な誘電体障壁に関する情報を人間（又は他の実体）に提供する技術が、本明細書中に開示されている。幾つかの例では、作業者／救助者に近接する表面と周波数範囲に亘る高電圧源との間のインピーダンスが測定されてよい。周波数の範囲に亘って測定されるインピーダンスは、障壁の絶縁耐力(dielectric  strength)、従って、特定の環境における電気ショックのリスクを決定するときに使用し得る情報を提供することができる。例えば、除細動の例では、ある範囲の周波数に亘るインピーダンス測定値は、電気ショックが適用されるときの電流漏れの可能性を識別するのに役立つことがある。除細動の操作では、電源によって生成される全電力が患者の身体を通じて進むだけであることが望ましい。電気短絡又は絶縁破壊によって引き起こされる電流漏れは、除細動ショックの有効性を低下させ得る。更に、電流漏れが救助者を通るならば、救助者は、不注意に、そして、望ましくなく、電気ショックを受けることがある。
【００２５】
以下の詳細な記述では、本明細書の一部を形成し、特定の実施態様又は実施例を例示として示す、添付図面を参照する。本明細書中に現時点で開示されている主題の特徴は、除細動システムにおける使用に関して記載されているが、ここに開示される主題は他の用途において使用されてよく、ここに開示される主題の範囲内にあることが理解されるべきである。次に、図面を参照して、除細動システムの特徴を記載する。
【００２６】
図１は、除細動作業における電気安全システム１００の特徴を示すブロック図である。電気安全システム１００は、インピーダンス測定デバイス１０２と、電気絶縁体１１２と、電源１０６とを含む。幾つかの実施例において、電源１０６は、電気ショックを生成し、患者１０８に電気ショックを加える。幾つかの実施例において、電源１０６は、患者１０８の場所Ａ及びＢで電気ショックを給送する。
【００２７】
患者１１０を救助するのを助長するために、人間１１０は、患者１０８に対して胸部圧迫を行うのを試みることがある。人間１１０と患者１０８との間にある程度の絶縁を提供するために、電気絶縁体１１２が用いられてよい。電気絶縁体１１２は、人間１１０と患者１０８との間にある程度の絶縁を提供するように設計された絶縁特性及びサイズ特性を有してよい。電気絶縁体１１２は、限定されないが、ゴム、プラスチック、ガラス、及び同等物を含む、様々な材料で構成されてよい。
【００２８】
幾つかの実施例では、電気安全システム１００の様々な地点の間のインピーダンスを測定することが有益であるか或いは望ましいことがある。幾つかの実施例では、インピーダンス測定デバイス１０２が用いられてよい。インピーダンス測定デバイス１０２は、様々な電源を用いて電力供給されてよい。幾つかの実施例において、インピーダンス測定デバイス１０２は、バッテリ１１６を用いて電力供給されてよい。（例示しない）他の実施例において、インピーダンス測定デバイス１０２は、外部電源１０６のような外部電源又は除細動ユニットによって提供される電力を用いて電力供給されてよい。ここに開示される主題は、如何なる特定の構成にも限定されない。
【００２９】
インピーダンスを測定するために、インピーダンス測定デバイス１０２は、インピーダンス測定アプリケーション１１８のための指令をメモリ内に格納してよい。インピーダンス測定アプリケーション１１８は、多周波数ジェネレータ１２０(multi-frequency  generator)を通電するための命令を有してよい。多周波数ジェネレータ１２０は、様々な周波数で電力を供給する。幾つかの実施例において、周波数の範囲は、〜０Ｈｚ乃至５００ｋＨｚの周波数を含んでよい。ここに開示する主題は、如何なる特定の周波数又は周波数の範囲にも限定されない。電気安全システム１００の様々な特徴のインピーダンスは、リード線１０４及び１０５を用いて測定される。図１において、リード線１０４は、電気絶縁体１１２に接続され、リード線１０５は、患者１０８と接触する除細動電極に接続される。ここに開示する主題は、如何なる特定のリード線又はリード線の取付け場所にも限定されない。何故ならば、様々な場所が測定されることがあるからである。Norwood,
MassachusettsのANALOG DEVICE, INC.のADuCM350チップセットを用いてインピーダンス測定装置１０２の様々な特徴を実施し得る。
【００３０】
幾つかの実施例において、インピーダンス測定は、人間１１０を危険な量の電流フローを受けるリスクに晒すことがあるインピーダンスを決定するように設計されてよい。例えば、患者１０８と接触する電気絶縁体１１２は、所与の絶縁耐力について、ある範囲の周波数に亘る理論的な又は予想されるインピーダンスプロファイルを有してよい。インピーダンス測定アプリケーション１１８は、リード線１０４及び１０５から入力を受け取るように構成されてよい。インピーダンスは、当業者が知る技術を用いて決定されてよい。
【００３１】
幾つかの実施例において、測定されたインピーダンスが予想されたインピーダンスプロファイルと異なるならば、インピーダンス測定アプリケーション１１８は、出力の生成をもたらしてよい。幾つかの実施例において、出力は、安全でない状態又は電気短絡の可能性を示す、電気安全システム１００内の照明を変更することであってよい。他の実施例において、出力は、範囲外インピーダンス条件がクリアされるまで、電源１０６からの電力の適用を防止することであってよい。ここに開示する主題は、如何なる特定の出力にも限定されない。
【００３２】
使用中、人間１１０は、患者１０８の上に電気絶縁体１１２を配置してよい。人間１１０は、患者１０８の位置Ａ及びＢで患者１０８に電源１０６取り付けてよい。人間１１０は、インピーダンス測定装置１０２からリード線１０４及び１０５を取り付けてよく、或いはリード線１０４及び１０５は、プリインストールされてよい。人間１１０は、インピーダンス測定装置１０２及び電源１０６に通電してよい。
【００３３】
人間１１０は、患者１０８に対して胸部圧迫を行ってもよい。幾つかの実施例では、電気絶縁体１１２を用いることによって、電源１０６が患者１０８に電気ショックを給送する間に、人間１１０は、圧迫を適用し続け得ることがある。インピーダンス測定装置１０２は、「ハンズオンＣＰＲ」 (“hands-on  CPR”)操作中にインピーダンスを継続的に測定する。
【００３４】
人間１１０が患者１０８と直接的に接触するならば、或いは汗又は他の流体が人間１１０と患者１０８との間に電気回路を作るならば、或いは様々な他の場合に、インピーダンス測定装置１０２は、低インピーダンス状態又は範囲外状況を検出することがある。低インピーダンス状態は、幾つかの実施例において、人間１１０が電源１０６から不注意に電気ショックを受けることがある状態を合図で知らせることがある。低インピーダンス状態は、他の問題も示すことがある。例えば、患者１０８は、地面への下方経路を提示する流体内に覆われて、電気ショックが患者１０８を通じて完全に移動しないようにする（即ち、漂遊電流）。範囲外インピーダンス測定値は、絶縁障壁が、亀裂又は何らかの他の損傷を通じて、除細動ショックに耐えるには不十分な絶縁耐力を有することがある状態を示すこともある。
【００３５】
図２は、使用中の電気安全システム１００を示す図である。例示されるように、人間１１０は、患者１０８の部分に亘って電気絶縁体１１２を適用している。電源１０６は、第１の電力ケーブル２０４及び第２の電力ケーブル２０５を通じて患者１０８に電気ショックを提供する。第１の電力ケーブル２０４は、パッド２１０を通じて場所Ａで患者１０８に適用されている。第２の電力ケーブル２０５は、パッド２１２を通じて場所Ｂで患者１０８に適用されている。幾つかの実施例において、場所Ａは、患者１０８の心臓に近接する場所又はその付近にある。幾つかの実施例において、位置Ｂは、患者１０８の側部若しくは背部に又はそれらの近くにある。
【００３６】
図２に例示されるように、インピーダンス測定デバイス１０２は、リード線１０４を介して場所Ｘで並びにリード線１０５を介して位置Ｙで、電気絶縁体１１２に接続される。操作中、人間１１０は、電源１０６がショック電圧を患者１０８に適用する間に、場所２１６で胸部圧迫を与えてよい。幾つかの実施例において、電気絶縁体１１２は、電気ショックから人間１１０を部分的に又は全体的に絶縁する。幾つかの実施例において、インピーダンス測定デバイス１０２は、様々な周波数で電気絶縁体１１２と患者１０８又は人間１１０との間のインピーダンスを継続的に測定する。範囲外インピーダンスプロファイルが検出されるならば、インピーダンス測定デバイス１０２は、電気ショックを出力として表示するか或いは停止させてよい。
【００３７】
図３は、除細動システム３００の側面図である。除細動システム３００は、インピーダンス測定デバイス１０２と、電源１０６とを含む。電源１０６は、第１の電力ケーブル２０４及びコネクタ３０２を通じてパッド２１０を介して患者１０８にショック電圧を印加する。コネクタ３０２は、前記絶縁体１１２を通じて電源１０６から受け取る電力を接続する。電源１０６は、第２の電力ケーブル２０５及びパッド２１２を通じて患者１０８に除細動電圧も印加する。幾つかの実施例では、パッド２１０を患者１０８に一時的に連結するのを助けるために、導電性ゲル３１０が用いられてよい。同様に、パッド２１２を患者１０８に一時的に連結するのを助けるために、導電性ゲル３１２が用いられてよい。幾つかの構成において、パッド２１０は、電気絶縁体１１２の内面３３０に近接して配置され、人間の救助者が胸部圧迫を加え得る電気絶縁体１１２の外面３３２から電気的に絶縁される。
【００３８】
使用中、人間１１０は、場所３１８で患者１０８に胸部圧迫を加えてよい。インピーダンス測定デバイス１０２が、範囲外インピーダンス状態を検出するならば、インピーダンス測定デバイス１０２は、電気障害表示(electrical  fault  indication)を電気障害インジケータ３１４(electrical  fault  indicator)に出力してよい。電気障害インジケータ３１４は、光、音、及び同等物であり得る。上で議論したように、出力は、除細動ショックの適用を防止し或いは停止する信号であってもよい。幾つかの実施例において、インピーダンス測定デバイス１０２は、コネクタ３４０を通じて電源１０６に信号を送信してよい。電源１０６は、信号を入力として受信し、電気ショックの適用を停止してよい。幾つかの実施例において、電気絶縁体１１２は、圧迫率インジケータ３１６(compression  rate  indicator)を含くんでもよい。圧迫率インジケータ３１６は、所望の又は推奨される胸部圧迫率の人間１１０に対する入力を提供する、光、音、及び同等物であってよい。圧迫の速度は、人間１１０を誘導するのに役立つ所定の又は最適な速度であってよい。
【００３９】
図４は、除細動作業(defibrillation  operation)における電気安全システム１００の動作について本明細書で開示するルーチン４００の特徴を例示するフロー図である。本明細書で記載する論理動作(logical  operations)は、（１）コンピューティングシステム上で動作する一連のコンピュータで実施される動作(computer  implemented  acts)又はプログラムモジュール(program  modules)として、及び／又は（２）コンピュータシステム内の相互接続される機械論理回路又は回路モジュールとして実施されることが理解されるべきである。実施(implementation)は、コンピューティングシステムのパフォーマンス要件に依存する選択事項である。従って、本明細書で記載する論理動作を、動作(operations)、構造デバイス(structural  devices)、行為(acts)、又はモジュール(modules)と様々に呼ぶ。これらの動作、構造デバイス、行為及びモジュールを、ソフトウェア、ファームウェア、専用デジタル論理、及び任意の組み合わせにおいて実施し得る。
【００４０】
ルーチン４００は、心肺蘇生（ＣＰＲ）が開始される動作４０２で始まる。ＣＰＲ作業の一部として、人間１１０は、人間１１０が接触することがある患者１０８の領域の上に、電気安全システム１００からの電気絶縁体１１２（ドレープ）を配置する。電気安全システム１００は、電源１０６も含むことができる。人間１１０は、電気絶縁体１１２の下面の下にあるパッドが患者１０８と接触するような方法において、患者１０８の上に電気絶縁体１１２を配置することができる。人間１１０は、患者１０８の他の場所に他のパッドを配置することもできる。
【００４１】
人間１１０は、インピーダンス測定デバイスを通電することもできる。インピーダンス測定デバイスは、電気絶縁体の場所に又は電気安全システム１００の他のコンポーネントの場所に予め装着されてよい２つのリード線を含むことができる。次に、人間１１０は、電源及びインピーダンス測定デバイスを通電することができる。人間１１０は、胸部圧迫を開始してもよい。
【００４２】
ルーチンは、インピーダンス測定デバイス１０２が様々な周波数に亘ってインピーダンスを測定する。動作４０４に進む。様々な周波数に亘るインピーダンスの測定は、可能な漂遊電流条件、電気絶縁体１１２の不十分な絶縁耐力又は電気短絡を検出することができる。例えば、図５は、人間１１０が電気絶縁体１１２に触れることなく患者の上に配置されたドレープのインピーダンス特性を示すグラフである。図示のように、低周波数で、電気絶縁体１１８は高インピーダンス特性を有するのに対し、高周波数で、インピーダンスは減少する。
【００４３】
図６において、インピーダンス測定デバイス１０２は、人間１１０が手袋を用いているときのインピーダンスを測定するために用いられた。例示するように、約１５ｋＨｚで、インピーダンスが降下し、図５に例示したものと異なるインピーダンス特性を示す。降下は、人間１１０の手と導電性ゲル３１０との間の容量結合又は他の要因の結果であることがある。
【００４４】
図７において、人間１１０によって用いられる手袋を嵌めた手とパッド２１２との間の様々な周波数で、インピーダンスを測定した。図示するように、殆どの周波数に亘るインピーダンスは、図５に締める障壁よりも概ね低い。幾つかの実施例において、手袋は、電気絶縁体１１２よりも薄い可能性が高い。よって、材料が同じ又は類似であるならば、手袋と皮膚との間の接触のインピーダンスは、障壁と皮膚との間の接触のインピーダンスよりも、一般的に、様々な周波数に亘ってより少ない。
【００４５】
図４に戻ると、ルーチン４００は、インピーダンス測定デバイス１０２が、低インピーダンス状態又は範囲外インピーダンス状態を検出する、動作４０６に進む。低インピーダンス状態は、様々な表面に亘って測定されることがある。低インピーダンス状態は、電気短絡の可能性又は電気ショックが加えられるときに漂遊電流を可能にすることがある低い絶縁耐力の状態を示すことがある。
【００４６】
ルーチン４００は、インピーダンス測定デバイス１０２が出力を生成する、動作４０８に進む。上で議論したように、出力は、患者に対する電気ショックの適用を防止する、光、音、又は信号であってよい。幾つかの構成において、出力は、潜在的に危険な状態を人間１１０に通知する、人間１１０に対する表示を提供するように設計される。幾つかの実施例において、電気絶縁体１１２は、電気絶縁体１１２の１つ又はそれよりも多くの場所において、低インピーダンス状態が存在する可能性のある場所を示す光又は他のインジケータを有してよい。
【００４７】
ルーチン４００は、低インピーダンス状態がクリアされたか否かについての決定が行われる、動作４１０に進む。低インピーダンス状態がクリアされていないならば、ルーチン４００は、出力が維持される、動作４０８に進む。低インピーダンス状態がクリアされているならば、ルーチン４００は、出力又はインジケータがクリアされる、動作４１２に進む。然る後、ルーチン４００は終了してよく、或いは、ＣＰＲが継続しているならば、動作４１２から動作４０６に戻って継続してよい。
【００４８】
次に、図８を参照して、開示する主題の様々な実施態様において利用されるインピーダンス測定デバイス１０２のための例示的なコンピュータアーキテクチャを記載する。図８に示すコンピュータアーキテクチャは、ＣＰＵ８０２と、ＲＡＭ８０６、ＥＥＰＲＯＭ８０８、及びＣＭＯＳメモリ８１０を含む、システムメモリ８０４と、システムメモリ８０４をＣＰＵ８０２に連結するシステムバス８１２とを含む。インピーダンス測定デバイス１０２は、多周波数ジェネレータ１２０を含むこともできる。ＥＥＰＲＯＭ８０８は、例えば、起動中に、コンピュータ内の要素の間で情報を移転するのを助ける基本ルーチンを含む、ＢＩＯＳ又は拡張可能ファームウェアインタフェース（“ＥＦＩ”）のような、インピーダンス測定デバイス１０２を作動させる際の使用のためのファームウェア８１４を格納してよい。ＣＭＯＳメモリ８１０は、インピーダンス測定デバイス１０２の設定情報を格納するためにファームウェア８１４によって用いられるバッテリ支援(battery-backed)メモリデバイスである。ファームウェア８１４のアーキテクチャ及び動作に関する追加的な詳細を以下に提供する。ソフトウェアオンチップ（“ＳｏＣ”）のような幾つかの実施において、インピーダンス測定アプリケーション１１８のような様々なソフトウェアは、ファームウェアの部分であってよいことが理解されるべきである。
【００４９】
インピーダンス測定装置１０２は、オペレーティングシステム８１８及びインピーダンス測定アプリケーション１１８、並びに他のプログラムモジュール（図示せず）を格納する、大容量記憶装置８１６を更に含む。大容量記憶装置８１６は、システムバス８１２に接続された大容量記憶装置コントローラ（図示せず）を通じてＣＰＵ８０２に接続されている。大容量記憶装置８１６及びその関連するコンピュータ可読媒体は、インピーダンス測定デバイス１０２のための不揮発性記憶装置を提供する。本明細書に含まれるコンピュータ可読媒体の記述は、ハードディスク又はＣＤ−ＲＯＭドライブのような大容量記憶装置に言及しているが、コンピュータ可読媒体は、インピーダンス測定デバイス１０２がアクセスすることのできる任意の利用可能な媒体であってよいことが、当業者によって理解されるはずである。
【００５０】
限定ではなく、一例として、コンピュータ可読媒体は、コンピュータ記憶媒体及び通信媒体を含んでよい。コンピュータ記憶媒体は、コンピュータ可読命令、データ構造、プログラムモジュール又は他のデータのような、情報を格納する任意の方法又は技術において実施される、揮発性及び不揮発性の、取外し可能及び取外し不能な媒体を含む。コンピュータ記憶媒体は、ＲＡＭ、ＲＯＭ、ＥＰＲＯＭ、ＥＥＰＲＯＭ、フラッシュメモリ若しくは他のソリッドステートメモリ技術、ＣＤ−ＲＯＭ、デジタル多用途ディスク（“ＤＶＤ”）若しくは他の光学記憶装置、磁気カセット、磁気テープ、磁気ディスク記憶装置若しくは他の磁気記憶デバイス、又は所望の情報を記憶するために使用することができ且つインピーダンス測定デバイス１０２によってアクセスされることができる任意の他の媒体を含むが、これらに限定されない。コンピュータ記憶媒体は、非一時的信号又は非一時的媒体を含まない。
【００５１】
インピーダンス測定デバイスは、インピーダンス検出器８２２を含む。インピーダンス検出器８２２は、様々な周波数の試験電圧を生成し、それらの試験電圧から入力を受け取る。試験電圧からの入力は、インピーダンス測定アプリケーション１１８への入力として用いられる。インピーダンス測定アプリケーションは、低インピーダンス状態が検出されるとき、インピーダンス測定デバイス１０２に低インピーダンス出力８２４を生成させることができる。低インピーダンス出力８２４は、光、スピーカ、及び同等物のような、インジケータであり得る。
【００５２】
前述に基づき、電気安全システムのための技術が本明細書に提供されたことを理解されるべきである。本明細書に提示する主題は、コンピュータ構造的構成、方法論的行為、及びコンピュータ可読媒体に特異な言語で記載されているが、添付の特許請求の範囲に定められる本発明は、必ずしも本明細書に記載の特定の構成、行為、又は媒体に限定されないことが理解されるべきである。むしろ、特定の構成、行為、及び媒体は、請求項を実施する例示的な形態として開示されている。
【００５３】
上述の主題は、例示のみのために提供されており、限定するものとして解釈されてならない例示し且つ記載した例示的な実施態様及びアプリケーションに従わないで並びに後続の特許請求の範囲に定められる本発明の真正の精神及び範囲から逸脱しないで、本明細書に記載した主題に対する様々な修正及び変更を行い得る。
【図１】
0006777640.tif 000002
【図２】
0006777640.tif 000003
【図３】
0006777640.tif 000004
【図４】
0006777640.tif 000005
【図５】
0006777640.tif 000006
【図６】
0006777640.tif 000007
【図７】
0006777640.tif 000008
【図８】
0006777640.tif 000009